(57)【要約】【課題】発光動作によって使用者に対する報知を行い得る据置型情報コード読取装置において、視認性の向上と、素子の小型化、省電力化を両立し得る構成を提供する。【解決手段】読取装置１は、発光部２０ａにおいて、第１発光素子６１ａ及び第２発光素子６１ｂと、導光材７１と、反射材となる基板８１とが設けられている。そして、発光素子６０から導光材７１の各対向部７１ａ，７１ｂに入射する光が導光材７１の内部に導入され、その導入された光の少なくとも一部が、裏面部７１ｄを通って基板８１で反射し、その反射した光が表面部７１ｃから放出される構成となっている。【選択図】図１２
2015179504.tif 000002
【特許請求の範囲】
【請求項１】
所定の上下方向の一方側に上面部が設けられ、前記上面部に光の出入口となる読取口が形成されたケースと、
前記読取口を介して前記ケースの外側を撮像可能な撮像部と、
情報コードが前記撮像部によって撮像された場合に、前記情報コードのコード画像を解読する解読部と、
前記ケースの外部に光を放出する発光部と、
を備え、
前記発光部は、
発光素子と、
前記発光素子と対向して配置される対向部と、前記対向部とは異なる位置に設けられた表面部と、前記表面部の裏側に配置された裏面部と、を備えた導光材と、
前記導光材の前記裏面部側に面する反射面を備えた反射材と、
を備え、
前記発光素子から前記対向部に入射する光が前記導光材の内部に導入され、
前記対向部から前記導光材の内部に導入された光の少なくとも一部が、前記裏面部を通って前記反射材の前記反射面で反射し、少なくとも前記反射面で反射した光が前記表面部から放出されることを特徴とする据置型情報コード読取装置。
【請求項２】
前記導光材の前記裏面部と前記反射材とが光透過性の接着層によって接合されていることを特徴とする請求項１に記載の据置型情報コード読取装置。
【請求項３】
前記導光材の前記裏面部と前記反射材とが明色系の両面接合部材によって接合されていることを特徴とする請求項１に記載の据置型情報コード読取装置。
【請求項４】
前記発光素子は、基板の一方の板面に実装され、且つ前記基板の板厚方向に対して横方向に光を照射する構成であり、
前記基板が前記反射材として構成され、前記基板における前記発光素子の実装側の板面が前記反射面として構成され且つ前記導光材の前記裏面部と対向して配置されており、前記裏面部から前記導光材の外部に出た光が前記実装側の板面で反射して前記表面部側に導かれる構成であることを特徴とする請求項１から請求項３のいずれか一項に記載の据置型情報コード読取装置。
【請求項５】
前記導光材は、長手状の板材として構成され、
前記発光素子として、前記導光材の長手方向一方側の側面部に対向すると共に前記導光材の長手方向中心側に向けて光を照射する第１発光素子と、前記導光材の長手方向他方側の側面部に対向すると共に前記導光材の長手方向中心側に向けて光を照射する第２発光素子と、が設けられていることを特徴とする請求項１から請求項４のいずれか一項に記載の据置型情報コード読取装置。
【請求項６】
前記導光材は、前記上下方向と直交する平面方向において前記読取口の外側の領域に配置され、前記表面部が当該導光材の上方側に配置され、前記裏面部が当該導光材の下方側に配置されており、前記表面部から上方側に光を放出する構成であることを特徴とする請求項１から請求項５のいずれか一項に記載の据置型情報コード読取装置。
【請求項７】
前記平面方向において前記導光材よりも前記読取口側には、前記導光材から前記読取口側に漏れ出す光を遮光する漏洩抑制部が形成されていることを特徴とする請求項６に記載の据置型情報コード読取装置。
【請求項８】
前記読取口が透明部によって閉塞されており、
前記導光材を覆う構成で、前記透明部よりも透明性が低い光透過性の拡散透過層が設けられており、
前記導光材の前記表面部から放出された光が、前記拡散透過層を透過しつつ拡散し、前記ケースの外部に放出されることを特徴とする請求項１から請求項７のいずれか一項に記載の据置型情報コード読取装置。
【請求項９】
前記導光材は、前記上下方向において前記ケースの前記上面部寄りに配置されており、
前記ケースの上面部には、前記導光材を覆う構成で透明板が配置されており、
前記透明板の一方の板面において前記導光材を覆う位置に、前記拡散透過層が環状に形成されており、
前記拡散透過層の内縁部が前記読取口として構成されていることを特徴とする請求項８に記載の据置型情報コード読取装置。
【請求項１０】
前記導光材の前記対向部は、外面が平坦に構成され且つ前記外面が上下方向と略平行に配置されており、
前記導光材は、前記対向部から前記上下方向と直交する平面方向に延びており、
前記発光素子は、発光側の面が前記対向部の前記外面と向かい合い、且つ前記発光側の面から前記上下方向に対して横向きに光を照射する構成となっていることを特徴とする請求項１から請求項９のいずれか一項に記載の据置型情報コード読取装置。
【請求項１１】
前記ケースの内部に収容され、前記ケースの外部から前記読取口を介して入り込む光を反射させる反射部材と、
前記ケースの外部から前記読取口を通過して入り込み且つ前記反射部材で反射した光を前記撮像部に導くように構成された結像部と、
を備え、
前記結像部は、前記撮像部で撮像可能な視野範囲として、当該結像部と前記反射部材との間に構成される第１視野範囲と、当該第１視野範囲に続くように前記反射部材から上方側に構成される第２視野範囲とを定める構成であることを特徴とする請求項１から請求項１０のいずれか一項に記載の据置型情報コード読取装置。
【請求項１２】
前記導光材の前記表面部側に配置されて当該表面部から放出された光を透光させる透光領域と遮光する遮光領域とを有する一部遮光層を備えていることを特徴とする請求項１から請求項１１のいずれか一項に記載の据置型情報コード読取装置。
【請求項１３】
前記遮光領域は、暗色系のインクを用いて印刷形成されていることを特徴とする請求項１２に記載の据置型情報コード読取装置。
【請求項１４】
前記反射材は、光の透過を抑制する透過抑制部を備え、
前記透過抑制部は、前記反射材に対する外部からの光が当該反射材の透過を妨げる位置に配置されていることを特徴とする請求項１から請求項１３のいずれか一項に記載の据置型情報コード読取装置。
【請求項１５】
前記反射材は、絶縁層に対して一面および他面に複数の導体層が設けられる両面基板または一面および他面に加えて内層に複数の導体層が設けられる多層基板であって、
前記複数の導体層が、前記透過抑制部として機能するように配置されていることを特徴とする請求項１４に記載の据置型情報コード読取装置。
【請求項１６】
前記一面および前記他面の少なくとも一方に設けられるレジスト層が光の透過を抑制する材料を用いてなり、当該レジスト層が、前記複数の導体層とともに前記透過抑制部として機能するように配置されていることを特徴とする請求項１５に記載の据置型情報コード読取装置。
【請求項１７】
前記反射材のうち前記反射面側の面に対して光の透過を抑制する材料を用いて膜状に設けられる反射面側透過抑制膜が、前記透過抑制部として構成されていることを特徴とする請求項１４に記載の据置型情報コード読取装置。
【請求項１８】
前記反射材のうち前記反射面の裏側に配置された面に対して光の透過を抑制する材料を用いて膜状に設けられる裏面側透過抑制膜が、前記透過抑制部として構成されていることを特徴とする請求項１４または１７に記載の据置型情報コード読取装置。
【発明の詳細な説明】
【技術分野】
【０００１】
本発明は、据置型情報コード読取装置に関するものである。
【背景技術】
【０００２】
現在、バーコードやＱＲコード（登録商標）等の情報コードを読み取る情報コード読取装置が広く提供されており、店舗や事業所などでは据置型の読取装置も用いられている。この据置型の情報コード読取装置は、一般的に、ケースに読取口が形成され、ケースの内部には、受光センサなどからなる撮像部と、撮像部で撮像可能となる視野範囲を定めるための結像レンズとが設けられている。この種の据置型の情報コード読取装置では、ケース外に設定された視野範囲内で読取口に向けて情報コードが翳された場合に、この情報コードが撮像部によって撮像され、その撮像されたコード画像が公知の解読方法で解読される構成となっている。
【先行技術文献】
【特許文献】
【０００３】
【特許文献１】特開２００３−１２１８４０号公報
【特許文献２】特開２０１３−８４３４２号公報
【発明の概要】
【発明が解決しようとする課題】
【０００４】
ところで、この種の据置型情報コード読取装置では、例えば、使用者が翳した情報コードの読み取りが成功した時など、使用者に対して視覚的な報知を行うことが望ましい状況が想定され、従来の据置型情報コード読取装置では、例えば発光素子による点灯動作によって使用者に対する視覚的な報知を行っていた。しかしながら、この種の据置型情報コード読取装置は、明るい場所や暗い場所など設置環境が様々であり、使用者が情報コードを表示した媒体（携帯端末等）を翳す際の翳し方も人によって様々であるため、単なる点灯動作だけでは使用者に十分に把握されにくく、例えば、翳した手によって表示部（発光素子等）が死角となって見落としが生じるといった問題なども生じやすくなる。このため、点灯動作によって報知を行う場合、使用者がより確実に把握できるように、より明るい光を、より広い範囲で発生させる構成が求められる。但し、読取装置では、素子の小型化や省電力化も要求されるため、単に光源だけを大型化する方法では、これらの要求に応えることはできない。なお、据置型情報コード読取装置とは異なる他分野の技術（液晶技術）では、特許文献１、２のようなものがあるが、据置型情報コード読取装置では、大型の液晶構造が用いにくく、類似する思想すら存在していない。
【０００５】
本発明は、上述した課題を解決するためになされたものであり、発光動作によって使用者に対する報知を行い得る据置型情報コード読取装置において、視認性の向上と、素子の小型化、省電力化を両立し得る構成を提供することを目的とする。
【課題を解決するための手段】
【０００６】
本発明は、所定の上下方向の一方側に上面部が設けられ、前記上面部に光の出入口となる読取口が形成されたケースと、
前記読取口を介して前記ケースの外側を撮像可能な撮像部と、
情報コードが前記撮像部によって撮像された場合に、前記情報コードのコード画像を解読する解読部と、
前記ケースの外部に光を放出する発光部と、
を備え、
前記発光部は、
発光素子と、
前記発光素子と対向して配置される対向部と、前記対向部とは異なる位置に設けられた表面部と、前記表面部の裏側に配置された裏面部と、を備えた導光材と、
前記導光材の前記裏面部側に面する反射面を備えた反射材と、
を備え、
前記発光素子から前記対向部に入射する光が前記導光材の内部に導入され、
前記対向部から前記導光材の内部に導入された光の少なくとも一部が、前記裏面部を通って前記反射材の前記反射面で反射し、少なくとも前記反射面で反射した光が前記表面部から放出されることを特徴とする。
【発明の効果】
【０００７】
請求項１の発明は、発光部において、発光素子と、導光材と、反射材とが設けられ、発光素子から導光材の対向部に入射する光が導光材の内部に導入され、その導入された光の少なくとも一部が、裏面部を通って反射材の反射面で反射し、少なくとも反射面で反射した光が表面部から放出される構成となっている。この構成では、導光材の内部に入り込んだ光が導光材の内部を通って導光材内部に広がりやすく、このように広がる光の一部が反射材の各箇所で反射して外部に放出されることになる。このため、導光材の表面部のより広い範囲で光の照射がなされることになり、より明るい光を、より広い範囲で発生させることができる。また、発光素子の大きさや数を抑えることができるため、素子の小型化、省電力化をも計ることができる。
【０００８】
請求項２の発明では、導光材の裏面部と反射材とが光透過性の接着層によって接合されている。この構成によれば、反射材の反射面を導光材の保持面として兼用することができ、導光材をより強固に保持し得る構造を実現しつつ、発光部をより小型化することができる。
【０００９】
請求項３の発明では、導光材の裏面部と反射材とが明色系の両面接合部材（一例として両面テープ）によって接合されている。この構成によれば、導光材の内部に導入された光の少なくとも一部が、裏面部を通って明色系の両面接合部材で散乱しやすくなるので、表面部から放出される光を均一且つ明瞭な光として照射することができる。
【００１０】
請求項４の発明では、発光素子は、基板の一方の板面に実装され、且つ基板の板厚方向に対して横方向に光を照射する構成であり、基板が反射材として構成され、基板における発光素子の実装側の板面が反射面として構成され且つ導光材の裏面部と対向して配置されており、裏面部から導光材の外部に出た光が実装側の板面で反射して表面部側に導かれる構成となっている。
この構成によれば、発光素子を実装する基板を反射材として兼用することができるため、発光部の部品点数を削減しやすく、且つ発光部をより一層小型化しやすくなる。
【００１１】
請求項５の発明では、導光材が長手状の板材として構成され、発光素子として、導光材の長手方向一方側の側面部に対向すると共に導光材の長手方向中心側に向けて光を照射する第１発光素子と、導光材の長手方向他方側の側面部に対向すると共に導光材の長手方向中心側に向けて光を照射する第２発光素子と、が設けられている。
この構成によれば、より少ない発光素子数で、より長い発光領域を生じさせることができる。また、導光材の両側から光を取り込む構成であるため、発光素子での発光量をそれほど大きくしなくても、発光素子間の広い範囲にわたって、より全体的に光が届きやすくなる。
【００１２】
請求項６の発明では、導光材は、上下方向と直交する平面方向において読取口の外側の領域に配置され、表面部が当該導光材の上方側に配置され、裏面部が当該導光材の下方側に配置されており、表面部から上方側に光を放出する構成となっている。
このように、平面方向において読取口の外側に導光材が配置されているため、導光材自体や、導光材からの光が視野範囲に映り込みにくく、読み取りへの影響を抑えつつ広い照射領域を確保しやすくなる。また、読取口の周囲の広い範囲に発光部が配置されるため、読取口近傍に情報コードや操作者の手などが配置されても、導光材から照射される光が全て隠れるような事態が生じにくく、操作中の視認性をも高めることができる。
【００１３】
請求項７の発明では、平面方向において導光材よりも読取口側には、導光材から読取口側に漏れ出す光を遮光する漏洩抑制部が形成されている。この構成によれば、導光材から読取口側に光が漏れ出すことを抑え、導光材からの光が撮像部の視野範囲に入り込むことをより抑制することができるため、導光材からの光に起因する読取不良をより確実に低減することができる。
【００１４】
請求項８の発明では、読取口が透明部によって閉塞されており、導光材を覆う構成で、透明部よりも透明性が低い光透過性の拡散透過層が設けられており、導光材の表面部から放出された光が、拡散透過層を透過しつつ拡散し、ケースの外部に放出される構成となっている。
この構成によれば、導光材から放出された光を拡散透過層で拡散させて放出することができるため、光の偏りを緩和し、意匠性を高めることができる。
【００１５】
請求項９の発明では、導光材は、上下方向においてケースの上面部寄りに配置されており、ケースの上面部には、導光材を覆う構成で透明板が配置されており、透明板の一方の板面において導光材を覆う位置に、拡散透過層が環状に形成されており、拡散透過層の内縁部が読取口として構成されている。
この構成では、読取口を形成するための層を拡散透過層として兼用することができるため、装置構成の簡素化を図りつつ、意匠性を高めることができる。
【００１６】
請求項１０の発明では、導光材の対向部は、外面が平坦に構成され且つ外面が上下方向と略平行に配置されており、導光材は、対向部から上下方向と直交する平面方向に延びており、発光素子は、発光側の面が対向部の外面と向かい合い、且つ発光側の面から上下方向に対して横向きに光を照射する構成となっている。
この構成によれば、対向部に対して垂直に近い向きで入射する光がより多くなり、導光材が延びる方向に向かう光が多くなるため、導光材の内部においてより奥位置（対向部から離れた位置）まで光が届きやすくなる。従って、発光素子近傍に光が偏りすぎることを緩和し、より均一化することができる。
【００１７】
請求項１１の発明は、ケースの内部に収容され、ケースの外部から読取口を介して入り込む光を反射させる反射部材と、ケースの外部から読取口を通過して入り込み且つ反射部材で反射した光を撮像部に導くように構成された結像部と、を備え、結像部は、撮像部で撮像可能な視野範囲として、当該結像部と反射部材との間に構成される第１視野範囲と、当該第１視野範囲に続くように反射部材から上方側に構成される第２視野範囲とを定める構成となっている。
このように、ケース内に反射部材を介在させ、結像部からケースの外部まで続く視野範囲の経路（即ち、読取口から入り込んだ光を結像部に導く経路）をケース内において折れ曲がるように構成することで、ケースの厚さをそれほど大きくしなくても、光学系から読取口での距離（読取口から入り込んだ光が結像部に入り込むまでの光路長）を大きく確保しやすくなる。これにより、ケースの厚さを低減して小サイズ化を図ることができる。
【００１８】
請求項１２の発明では、導光材の表面部側に配置されて当該表面部から放出された光を透光させる透光領域と遮光する遮光領域とを有する一部遮光層を備える構成となっている。この構成によれば、表面部から放出された光は、透光領域を透光するようにして外部に照射されるため、透光領域の形状を文字やロゴマーク等の任意の図形に応じて形成することで、より広い範囲で発生させた光を利用して文字やロゴマーク等を表示することができ、意匠性を高めることができる。
【００１９】
請求項１３の発明では、遮光領域は、暗色系のインクを用いて印刷形成されている構成となっている。この構成によれば、遮光領域の遮光性が向上するだけでなく相対的に透光領域を透光した光が際立つため、透光領域を透光する光により表示される文字やロゴマーク等に関して意匠性をさらに高めることができる。
【００２０】
請求項１４の発明では、反射材は、光の透過を抑制する透過抑制部を備えており、この透過抑制部は、反射材に対する外部からの光が当該反射材の透過を妨げる位置に配置されている構成となっている。この構成によれば、導光材の内部から裏面部を通る光や発光素子から直接照射される光が反射材の反射面側から裏面側に透過することを、透過抑制部により抑制することができる。すなわち、反射材の裏面側への意図しない漏光を抑制することができる。さらに、反射材の裏面側に他の照明光源等が配置されていても、この他の照明光源等からの光が反射材の裏面側から反射面側に透過することを、透過抑制部により抑制することができる。すなわち、他の照明光源等からの光に起因する反射材の反射面側への意図しない漏光を抑制することができる。
【００２１】
請求項１５の発明では、反射材は、両面基板または多層基板であって、複数の導体層が、透過抑制部として機能するように配置されている構成となっている。この構成によれば、複数の導体層を反射材の透過を妨げるようにそれぞれ配置することで意図しない漏光が抑制されるので、両面基板や多層基板に対して透過抑制部として機能する部材を別途用意する必要もない。このため、透過抑制部を有する反射材として機能する両面基板や多層基板を簡素な構成とすることができる。
【００２２】
請求項１６の発明では、一面および他面の少なくとも一方に設けられるレジスト層が光の透過を抑制する材料を用いてなり、当該レジスト層が、複数の導体層とともに透過抑制部として機能するように配置されている構成となっている。この構成によれば、複数の導体層だけでなくレジスト層をも利用して透過抑制部が構成されるため、回路設計上、導体層が配置できない場所であってもレジスト層を配置できれば透過抑制部を構成できるので、より広範囲に透過抑制部を配置でき、意図しない漏光を確実に抑制することができる。
【００２３】
請求項１７の発明では、反射材のうち反射面側の面に対して光の透過を抑制する材料を用いて膜状に設けられる反射面側透過抑制膜が、透過抑制部として構成されている。このように構成しても、反射材のうち反射面側の面に設けられる反射面側透過抑制膜により意図しない漏光を抑制することができる。特に、膜状の透過抑制部であれば、発光素子の近傍であっても容易に設けることができるので、より広範囲に透過抑制部を配置することができる。
【００２４】
請求項１８の発明では、反射材のうち反射面の裏側に配置された面に対して光の透過を抑制する材料を用いて膜状に設けられる裏面側透過抑制膜が、透過抑制部として構成されている。このように構成にしても、反射材のうち裏側の面に設けられる裏面側透過抑制膜により意図しない漏光を抑制することができる。特に、裏面側透過抑制膜に加えて上記反射面側透過抑制膜が反射材に対してそれぞれ透過抑制部として配置される場合には、仮に、反射面側からの光の一部が反射面側透過抑制膜を透過しても裏面側透過抑制膜により裏面側への透過が抑制され、裏面側からの光の一部が裏面側透過抑制膜を透過しても反射面側透過抑制膜により反射面側への透過が抑制される。この場合には、意図しない漏光を確実に抑制することができる。
【図面の簡単な説明】
【００２５】
【図１】図１は、第１実施形態に係る据置型情報コード読取装置を概略的に示す斜視図である。
【図２】図２は、図１の据置型情報コード読取装置を図１とは異なる方向から見た斜視図である。
【図３】図３は、図１の据置型情報コード読取装置の平面図である。
【図４】図４は、図３のＡ−Ａ断面を概略的に示す断面概略図である。
【図５】図５は、図４のＢ−Ｂ断面を概略的に示す断面概略図である。
【図６】図６は、図４のＣ−Ｃ断面を概略的に示す断面概略図である。
【図７】図７は、図４のＤ−Ｄ断面を概略的に示す断面概略図である。
【図８】図８は、図４のＥ−Ｅ断面を概略的に示す断面概略図である。
【図９】図９は、図１の据置型情報コード読取装置の電気的構成を概略的に例示するブロック図である。
【図１０】図１０は、図１の据置型情報コード読取装置で構成される高照度領域等を説明する説明図である。
【図１１】図１１は、図３の据置型情報コード読取装置から透明板を取り外した状態を示す平面図である。
【図１２】図１２は、図３のＧ−Ｇ断面を概略的に示す断面概略図である。
【図１３】図１３（Ａ）は、図１２の断面構造の一部を抽出して示す断面概略図であり、図１３（Ｂ）は、図１３（Ａ）の一部を更に拡大し、光の説明と共に示す説明図である。
【図１４】図１４は、第２実施形態に係る据置型情報コード読取装置を概略的に示す斜視図である。
【図１５】図１５は、第２実施形態の変形例に係る据置型情報コード読取装置を概略的に示す斜視図である。
【図１６】図１６は、第３実施形態に係る据置型情報コード読取装置を概略的に示す斜視図である。
【図１７】図１７は、第３実施形態の変形例に係る据置型情報コード読取装置を概略的に示す斜視図である。
【図１８】図１８は、第４実施形態に係る据置型情報コード読取装置の要部を拡大して示す説明図である。
【図１９】図１９は、第５実施形態に係る据置型情報コード読取装置の要部を拡大して示す説明図である。
【図２０】図２０は、第５実施形態の第１変形例に係る据置型情報コード読取装置の要部を拡大して示す説明図である。
【図２１】図２１は、第６実施形態に係る据置型情報コード読取装置の要部を拡大して示す説明図である。
【図２２】図２２は、第６実施形態の第１変形例に係る据置型情報コード読取装置の要部を拡大して示す説明図である。
【発明を実施するための形態】
【００２６】
[第１実施形態]
以下、本発明の光学的情報読取装置を具現化した第１実施形態について、図面を参照して説明する。
（光学的情報読取装置の全体構成）
図１〜図３等に示す据置型情報コード読取装置１（以下、単に読取装置１ともいう）は、机や棚などの上面を載置面（図４、図５の載置面Ｆを参照）としてこの載置面上に載置される据置型装置として構成されており、バーコード等の一次元コードやＱＲコード（登録商標）等の二次元コードなど情報コードを読み取る情報コードリーダとしての機能を有している。
【００２７】
読取装置１は、例えばＡＢＳ樹脂等の樹脂材料によって構成されるケース３を備えている。このケース３は、図４〜図６等に示すように、上ケース４ａと下ケース４ｂと備えており、これら上ケース４ａと下ケース４ｂとが上下に組み付けられた構成で全体として箱状に形成されている。そして、ケース３の内部には、後述する反射部材２９、結像部２７、撮像部２３、導光部材５０などの各部品が収容されている。また、図３等に示すように、ケース３の上面部（読取側壁部３ａ）には光の出入口となる読取口５が形成されており、読取口５を介してケース外からの光がケース内に入り込み、ケース内からの光がケース外に放出されるようになっている。そして、反射部材２９、結像部２７、撮像部２３によって構成される光学系は、この読取口５を介してケース外の情報コードを撮像するように機能している。
【００２８】
また、箱状に構成されるケース３には、据置型情報コード読取装置１を載置するときの載置面側（図４の例では載置面Ｆ側）に設けられる底壁部３ｂと、読取口５が形成された読取側壁部３ａとが対向して設けられている。そして、底壁部３ｂが載置面Ｆに支持されるように配置され、この底壁部３ｂと対向する読取側壁部３ａが、情報コードＣを翳す側の露出壁部として構成されている。なお、本構成では、底壁部３ｂと読取側壁部３ａとの対向方向（即ち、ケース３の厚さ方向であり、図２に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、透明板７の厚さ方向（即ち、透明板７の板面と直交する方向）も上下方向となっており、後述する第２視野範囲ＡＲ２の光軸Ｌ２の方向も上下方向となっている。
【００２９】
ケース３の上面側には、上ケース４ａの上端部に形成された開口部４ｃを閉じる構成で透明板７が配置されている。この透明板７は、所定の厚さの平坦な板として構成され、ケース３の外部からの光が透過可能となる光透過性の部材（例えば、透明なアクリル樹脂や透明ガラス等）によって構成されている。この透明板７は、防塵プレートとして機能しており、このような透明板７が上ケース４ａに形成された開口部４ｃを閉塞することで、ケース３を閉塞し、ケース３の内部（特に、反射部材２９、結像部２７、撮像部２３などが収容された収容空間）にケース外からの異物（塵や埃など）が入り込みにくくなっている。また、透明板７の上面部（ケース外に露出する側の板面部）を部分的に覆う構成で光遮光性の高い塗料などからなる被覆層８が形成されている。この被覆層８は、透明板７の周縁部に沿って環状に形成されており、この被覆層８の内縁部によって構成される開口部が読取口５となっている。
【００３０】
次に、読取装置１の電気的構成について説明する。図９に示すように、読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００３１】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、上下方向に対して横向きに照明光を照射する機能を有している。
【００３２】
また、図１〜図８で示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図４等参照）を通ってケース３の外部に照射されるように導く構成となっている。なお、導光部材５０の詳細は後述する。
【００３３】
図９で示すように、受光光学系は、撮像部２３、結像部２７、反射部材２９（図１、図２等）などによって構成されている。
【００３４】
撮像部２３は、例えばＣＣＤ素子やＣＭＯＳ素子等の固体撮像素子（受光素子）が二次元的に配列された受光センサ（エリアセンサ）などによって構成されており、図４、図９等に示すように、結像部２７に面する側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図９のように、情報コードＣが示された読取対象物Ｒが視野範囲内に配置されたとき（例えば、読取対象物Ｒにおける情報コードＣを表示する側の面が開口領域γ内において透明板７に接触又は近接するように配置されたとき）、この情報コードＣ及び読取対象物Ｒに照射されて反射した反射光Ｌｒ（図９参照）を受光する構成となっている。また、撮像部２３は、受光面２３ａにおいて光を検出しうる領域（固体撮像素子が配置された領域）が「所定の受光領域」として設定されており、図４等では、撮像部２３における受光領域の範囲を符号Ｄ１にて概念的に示している。即ち、受光面２３ａにおいて範囲Ｄ１に入射する光が撮像部２３に検出されるようになっている。なお、図４等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向）所定範囲となっている。なお、図４等に示す例では、受光面２３ａが前後方向とほぼ直交して配置されている。
【００３５】
結像部２７は、公知の結像レンズによって構成され、結像光学系として機能している。この結像部２７は、撮像部２３で撮像可能となる視野範囲を定めると共に、ケース３の外部から読取口５を通過して入り込んだ光（具体的には、当該入射光が反射部材２９で反射した光）を撮像部２３の受光領域に導く構成となっている。そして、結像部２７は、ケース３の外部において視野範囲内に情報コードＣが配置されたときに当該情報コードＣの像を撮像部２３の受光領域に結像させるように機能する。本構成では、照明光源２１から照射され、導光部材５０によってケース外に導かれた照明光を情報コードＣに当てながら当該情報コードＣを撮像し得るようになっており、結像部２７は、情報コードＣが視野範囲内（撮像エリア内）に配置されたときに、この情報コードＣからの反射光Ｌｒを集光し、撮像部２３の受光面２３ａに情報コードＣの像を結像させるように構成されている。なお、結像部２７としては、例えば、焦点距離が短く画角の広い広角レンズを好適に用いることができる。
【００３６】
図９で示すように、マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された情報コードＣの画像信号を信号処理するように構成されている。具体的には、視野範囲内に配置された情報コードＣが撮像部２３によって撮像されたときの撮像画像のデータをメモリ３５に記憶可能に構成されており、制御回路４０は、このような情報コードＣの画像データを解析し、当該情報コードＣに記録されたデータを公知の解読方法で解読するように構成されている。なお、制御回路４０は、解読部の一例に相当し、視野範囲内に配置された情報コードＣが撮像部２３によって撮像された場合に、この情報コードＣのコード画像を解読するように機能する。
【００３７】
なお、図９等では図示を省略しているが、読取装置１には押圧ボタンなどの操作部が設けられていてもよく、この場合、ユーザが操作部を操作したときにその操作に応じた信号が制御回路に入力されることとなる。また、公知の通信インタフェースが設けられていてもよく、この構成では、読取装置１から図示しない外部装置に情報を送信したり、読取装置１が外部装置から情報を受信したりすることが可能となる。また、制御回路４０によって後述する発光素子６０（第１発光素子６１ａ，６２ａ、第２発光素子６１ｂ，６２ｂ）が動作可能とされている。
【００３８】
読取対象となる情報コードＣとしては、例えばＱＲコード（登録商標）などが挙げられ、公知のコードであれば、データマトリックスコードやマキシコードなどの他の二次元コードであってもよい。或いは、バーコードなどの公知の一次元コードであってもよい。また、読取対象となる情報コードＣの形成方法は特に限定されず、印刷、ダイレクトマーキング、画像表示など様々な方法が想定される。また、読取対象物Ｒ（図９）の材質や構造も様々であり、金属材料、樹脂材料、紙など、様々な材料が対象となり、携帯端末（携帯電話機やスマートフォンなどの携帯型情報処理装置）やその他の情報処理装置などであってもよい。
【００３９】
（撮像構造）
次に、撮像構造等について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等について、より詳細に説明する。
【００４０】
なお、本明細書では、上下方向と直交する平面方向（水平方向）において、ケース３の長手方向を幅方向（左右方向）とし、その平面方向（水平方向）においてケース３の短手方向（上下方向及び幅方向と直交する方向）を前後方向とする（図３参照）。
【００４１】
図４〜図６等に示すように、本構成では、ケース３の上面部（上壁部）として、板状且つ略矩形状（略長方形状）の透明板７が配置されており、この透明板７及びこれを被覆する被覆層８が読取側壁部３ａに相当している。図３のように読取装置１を平面視したときの透明板７の長手方向中央部及び短手方向中央部には、略矩形状（略長方形状）の読取口５が形成されている。読取口５は、図３のように平面視したときに、当該読取口５の開口領域γ（図３に示す境界線Ｐ３（一点鎖線）の内側の領域であり、図４も参照）に反射部材２９の反射領域（反射面の領域）が全て収まるようなサイズ及び位置で形成されている。即ち、図３に示す幅方向において、読取口５の幅方向一端部５ａと幅方向他端部５ｂとの間に反射部材２９の幅方向一端部と他端部が配置され、図３に示す前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも前後方向に直線状に延びており、読取口５の前後方向一端部５ｃと前後方向他端部５ｄはいずれも幅方向（左右方向）に直線状に延びている。
【００４２】
図４〜図６等に示すように、ケース３の底壁部３ｂは、ケース３の下面部として板状に構成されており、読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁（いずれも前後方向に延びる側壁）と、前後方向両側に配置される一対の側壁（いずれも幅方向に延びる側壁）とを備えており、これら四方の側壁が環状に連結して配置されている。このように環状に配置された側壁部３ｃ（周壁部）の上側を部分的に閉塞する構成（具体的には、側壁部３ｃの上端部によって構成される開口部４ｃを閉塞する構成）で読取側壁部３ａ（上面部）に相当する透明板７が配置され、側壁部３ｃの下側全体を閉塞する構成で底壁部３ｂ（下面部）が配置されている。
【００４３】
透明板７は、上ケース４ａの上端部に形成された開口部４ｃを閉塞する構成で配置され、ケース３の上面部を構成しており、ケース３内部に収容される反射部材２９、結像部２７、導光部材５０の上側を覆う構成で配置されている。そして、図３のように平面視したときには、透明板７の露出部分（図３で概念的に示す境界線Ｐ３の内側の領域である開口領域γ（図４）の部分）を介してケース内の反射部材２９、結像部２７、導光部材５０が視認されるようになっている。透明板７は、例えば透明且つ平坦な板材として構成され、その板面（上面７ａ及び下面７ｂ）と直交する方向が上下方向となるように略水平に配置されている。なお、透明板７は、透明部材の一例に相当し、被覆層８の内周部として構成される読取口５を閉塞するように機能する。つまり、読取口５は、光の出入りを許容する構成であるが、透明板７の閉塞によって水や埃等の侵入を許容しない構成となっている。
【００４４】
反射部材２９は、例えばミラーとして構成され、ケース３の内部に収容され、ケース３の外部から読取口５を介して入り込む光を反射させるように機能する。この反射部材２９は、反射面２９ａ（鏡面）が斜め上側且つ前後方向一方側（反射面２９ａに対し結像部２７側）を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と反射面２９ａとのなす角度が４５°となっており、上下方向と平行に入り込んだ光を水平に反射するように配置されている。
【００４５】
また、反射部材２９の反射面２９ａ（上方側からの光を反射可能な鏡面領域であり、上方側に露出する面）の上端部２９ｃは、上下方向において透明板７寄りの位置に配置され、反射面２９ａの下端部２９ｂは、上下方向において底壁部３ｂ寄りに配置されている。また、反射部材２９の反射面２９ａは、下端部２９ｂの幅が最も狭く、上端部２９ｃの幅が最も広くなるように、上方となるにつれて幅が広くなる構成となっている。
【００４６】
結像部２７は、上述したように広角レンズとして機能する結像レンズによって構成され、図４、図６、図７等に示すように透明板７から離れた位置に配置されている。この結像部２７は、ケース３の外部から読取口５を通過して入り込み且つ反射部材２９で反射した光を集光しつつ撮像部２３の受光面２３ａ（受光領域）に導く機能を有し、ケース３の内外において撮像部２３で撮像可能となる視野範囲を定める構成となっている。具体的には、図４に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。このように構成される結像部２７は、ケース３の外部に設定された第２視野範囲ＡＲ２内に情報コードＣが配置されたときに当該情報コードＣの像を撮像部２３の受光領域に結像させるように機能している。
【００４７】
図４に示す第１視野範囲ＡＲ１は、結像部２７と反射部材２９との間の空間において撮像部２３によって撮像される範囲であり、反射部材２９の反射面２９ａに近づくにつれて徐々に広くなるように設定されている。また、第１視野範囲ＡＲ１の中心となる光軸Ｌ１は、水平方向（具体的には、前後方向）となっており、反射面２９ａとのなす角度が４５°となっている。そして、図４のように、光軸Ｌ１を通り上下方向と平行な平面を切断面として読取装置１を切断した場合、当該切断面上において第１視野範囲ＡＲ１が上下に最も広がるようになっている。そして、図４に示す切断面（光軸Ｌ１を通り上下方向と平行な切断面）では、第１視野範囲ＡＲ１の下限の境界は、反射部材２９の反射面２９ａに近づくにつれて低位置（下位置）となり、第１視野範囲ＡＲ１の上限の境界は、反射部材２９の反射面２９ａに近づくにつれて高位置（上位置）となるように構成されている。そして、図４に示す切断面（図３に示すＡ−Ａ位置の切断面であり、読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界が反射部材２９の反射面２９ａに達した位置（その境界と反射面２９ａとが交わる位置）が第１視野範囲ＡＲ１の上端位置となっている。
【００４８】
図４のように、本構成では、反射部材２９の反射領域（反射面２９ａが露出した領域）が、少なくとも第１視野範囲ＡＲ１の下端に位置しており、第１視野範囲ＡＲ１の下端から上端まで続いている。つまり、反射部材２９は、図４のような切断面において第１視野範囲ＡＲ１の上下方向全領域を網羅するように反射面２９ａが配置されている。例えば、図４に示す切断面において、反射領域（反射面２９ａの領域）の上端部２９ｃは、第１視野範囲ＡＲ１の上端位置と同位置又は当該上端位置よりも上位置であり、反射領域（反射面２９ａの領域）の下端部２９ｂは、第１視野範囲ＡＲ１の下端位置と同位置又は当該下端位置よりも下位置となっている。より具体的には、撮像部２３の受光領域の全領域に反射面２９ａが映り込むように配置されている。つまり、第１視野範囲ＡＲ１の反射部材２９側の境界は、全て反射面２９ａ上の位置となっており、撮像部２３は、反射面２９ａの周囲に隣接する部分（反射面２９ａ以外の部分）を撮像せず、第２視野範囲ＡＲ２の全体を撮像し得るようになっている。
【００４９】
第２視野範囲ＡＲ２は、上述の第１視野範囲ＡＲ１に続くように反射部材２９にて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されない。
【００５０】
本構成では、反射面２９ａが水平方向に対して例えば４５度の角度で傾斜した構成となっている。そして、反射部材２９に対し、前後方向一方側に結像部２７が配置されており、第１視野範囲ＡＲ１の光軸Ｌ１が前後に延びる構成となっている。従って、第２視野範囲ＡＲ２の中心となる光軸Ｌ２は上下方向に延びている。そして、第１視野範囲ＡＲ１が反射部材２９にて折り返された第２視野範囲ＡＲ２は、上方となるにつれて範囲が広くなるように設定されており、図４のような断面（光軸Ｌ１、Ｌ２を通る断面）では、上方となるにつれて第２視野範囲ＡＲ２が前後に広がるようになっている。
【００５１】
具体的には、光軸Ｌ２を中心として上方となるにつれて前後に範囲が広くなるように第２視野範囲ＡＲ２が設定されており、同様に、光軸Ｌ２を中心として上方となるにつれて左右に範囲が広くなるように第２視野範囲ＡＲ２が設定されている。なお、ケース外において第２視野範囲ＡＲ２を水平方向に切断した仮想面上での第２視野範囲ＡＲ２の境界形状は、例えば円形であってもよく、長方形、正方形等の矩形形状であってもよい。
【００５２】
そして、結像部２７は、第２視野範囲ＡＲ２から外れた位置に配置されている。具体的には、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図４のように、結像部２７のレンズ部分は、反射部材２９の反射面２９ａの領域（反射領域）の下端部２９ｂよりも上位置に配置され、上端部２９ｃよりも下位置に配置されている。更に、結像部２７の前後方向の一端部（反射部材２９側の端部）は、前後方向において、読取口５の前後方向他端部５ｄと光軸Ｌ２との間に配置されている。このように配置することで、結像部２７の映り込みを防ぎつつ、読取口５の下方側の領域を生かすことができる。
【００５３】
また、図４に示すように、第１視野範囲ＡＲ１の中心となる光軸Ｌ１及び第２視野範囲ＡＲ２の中心となる光軸Ｌ２を通る平面を切断面とした断面において、第２視野範囲ＡＲ２の両境界Ｂ１、Ｂ２が読取口５の内周部寄りの位置（例えば、端部５ｄ，５ｃの位置又は端部５ｄ，５ｃに近い位置）を通る構成となっている。なお、図４の例では、第２視野範囲ＡＲ２の前後方向一方側の境界Ｂ１と前後方向他方側の境界Ｂ２とがいずれも、読取口５の内周部（端部５ｄ，５ｃ）よりも僅かに内側を通るようになっているが、これら境界Ｂ１、Ｂ２がいずれも内周部（端部５ｄ，５ｃ）を通る構成となっていてもよい。
【００５４】
次に、照明光源２１について説明する。図３、図４、図６、図８に示すように、照明光源２１は、上下方向と直交する平面方向において開口領域γ（図３に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、透明板７の板面に形成された被覆層８の下方に配置されており、図６、図８のように、第１光源２１ａ，２１ｂ及び第２光源２１ｃ，２１ｄのいずれも、この被覆層８の下位置に配置される基板（基板８１、８２）の下面側に実装されている。なお、基板８１と基板８２は同一基板であってもよく、別々の基板であってもよい。
【００５５】
図４、図６、図８に示すように、第１光源２１ａ，２１ｂ及び第２光源２１ｃ，２１ｄはいずれも、上下方向において、透明板７よりも下方位置且つ後述する導光部材５０の上端位置付近に配置されており、図３のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。例えば、図６、図８のように、左右方向（幅方向）一方側に配置された第１光源２１ａ，２１ｂの照射面（発光面）は、これら第１光源２１ａ，２１ｂの側面に相当すると共に左右方向他方側（第２光源２１ｃ，２１ｄ側）に向くように配置され、これら第１光源２１ａ，２１ｂからは、左右方向他方側に向けて照明光が照射されるようになっている。また、左右方向（幅方向）他方側に配置された第２光源２１ｃ，２１ｄの照射面（発光面）は、これら第２光源２１ｃ，２１ｄの側面に相当すると共に左右方向一方側（第１光源２１ａ，２１ｂ側）に向くように配置され、これら第２光源２１ｃ，２１ｄからは、左右方向一方側に向けて照明光が照射されるようになっている。なお、第１光源２１ａ，２１ｂ及び第２光源２１ｃ，２１ｄの照射面となる各側面は、例えば、幅方向と直交する面方向となっており、全ての第１光源２１ａ，２１ｂ及び第２光源２１ｃ，２１ｄの照射面の上下方向の高さは、ほぼ同じ高さになっている。
【００５６】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部（遮光部９１ａ，９２ａ，９３ａ，９４ａ）が配置されている。そして、これら遮光部９１ａ，９２ａ，９３ａ，９４ａにより、照明光源２１から斜め上方側に向かおうとする照明光が遮られる構成となっている。
【００５７】
例えば、図６のように、平面方向において第１光源２１ａと読取口５の間の位置には、少なくとも第１光源２１ａからの照明光の照射側（幅方向における第２光源２１ｃ側）に、第１光源２１ａの位置から平面方向に延びるように遮光部９１ａが配置されている。この遮光部９１ａは、第１光源２１ａが実装される基板８１において第１光源２１ａよりも開口領域γ側（平面方向において開口領域γに近い側）の部分が該当する。そして、この遮光部９１ａにより、第１光源２１ａを起点として斜め上側に向かおうとする光が遮られるようになっている。なお、図６等に示す例では、基板８１、８２は、厚さ方向を上下方向とし、板面方向を水平方向（上下方向と直交する面方向）とするように構成され、基板８１、８２のそれぞれの下面（裏面）に発光素子として構成される第１光源２１ａ、２１ｂ、第２光源２１ｃ、２１ｄがそれぞれ実装されている。そして、例えば、基板８１では、第１光源２１ａの実装面（基板８１の下面）が、少なくとも平面方向において第１光源２１ａの位置から開口領域γに近い側（第２視野範囲ＡＲ２の光軸Ｌ２に近い側）の延びるように配置されている。このように構成されているため、第１光源２１ａから照射された直後の光が斜め上方側に向かおうとしても遮光部９１ａで遮られて多くが下方に反射することになり、第１光源２１ａからの光の多くは、第１光源２１ａよりも斜め上方側に向かいにくくなる。その結果、第１光源２１ａからの光の多くは、水平方向及び斜め下方向に照射されることになる。同様に、図８のように、平面方向において第１光源２１ｂと読取口５の間の位置には、少なくとも第１光源２１ｂからの照明光の照射側において第１光源２１ｂの位置から平面方向に延びるように（具体的には平面方向において読取口５側に延びるように）遮光部９２ａが配置されている。この遮光部９２ａは、第１光源２１ｂが実装される基板８１において第１光源２１ｂよりも開口領域γ側（平面方向において開口領域γに近い側）の部分が該当し、この遮光部９２ａにより、第１光源２１ｂを起点として斜め上側に向かおうとする光が遮られるようになっている。より具体的には、第１光源２１ｂの実装面（基板８１の下面）が、少なくとも平面方向において第１光源２１ｂの位置から開口領域γに近い側（第２視野範囲ＡＲ２の光軸Ｌ２に近い側）の延びるように配置されている。これにより、第１光源２１ｂからの光の多くは、水平方向及び斜め下方向に照射されることになる。なお、図８の説明図では、第１光源２１ｂから照射される光を省略して示している。
【００５８】
また、図６のように、平面方向において第２光源２１ｃと読取口５の間の位置には、少なくとも第２光源２１ｃからの照明光の照射側において第２光源２１ｃの位置から平面方向に延びるように（具体的には平面方向において読取口５側に延びるように）遮光部９３ａが配置されている。この遮光部９３ａは、第２光源２１ｃが実装される基板８２において第２光源２１ｃよりも開口領域γ側（平面方向において開口領域γに近い側）の部分が該当し、この遮光部９３ａにより、第２光源２１ｃを起点として斜め上側に向かおうとする光が遮られるようになっている。より具体的には、第２光源２１ｃの実装面（基板８２の下面）が、少なくとも平面方向において第２光源２１ｃの位置から開口領域γに近い側（第２視野範囲ＡＲ２の光軸Ｌ２に近い側）の延びるように配置されている。これにより、第２光源２１ｃからの光の多くは、水平方向及び斜め下方向に照射されることになる。なお、図６の説明図では、第２光源２１ｃから照射される光を省略して示している。同様に、図８のように、平面方向において第２光源２１ｄと読取口５の間の位置には、少なくとも第２光源２１ｄからの照明光の照射側において第２光源２１ｄの位置から平面方向に延びるように（具体的には平面方向において読取口５側に延びるように）遮光部９４ａが配置されている。この遮光部９４ａは、第２光源２１ｄが実装される基板８２において第２光源２１ｄよりも開口領域γ側（平面方向において開口領域γに近い側）の部分が該当し、この遮光部９４ａにより、第２光源２１ｄを起点として斜め上側に向かおうとする光が遮られるようになっている。より具体的には、第２光源２１ｄの実装面（基板８２の下面）が、少なくとも平面方向において第２光源２１ｄの位置から開口領域γに近い側（第２視野範囲ＡＲ２の光軸Ｌ２に近い側）の延びるように配置されている。これにより、第２光源２１ｄからの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００５９】
そして、これらの照明光源２１による照明光の照射先には、導光部材５０が配置されている。図１０で例示されるように、導光部材５０は、読取口５の開口領域γ（図１０に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図４、図１０の例では、透明板７の上面の位置において読取口５の内縁部によって囲まれる領域（透明板７の上面において読取口５から露出する領域）が開口領域γに相当している。そして、図１０の例では、この開口領域γにおいて視野範囲の周縁部に沿った環状領域が高照度領域βとなっており、この高照度領域βをハッチングで概念的に示している。
【００６０】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、透明板７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。
【００６１】
図１〜図３、図５、図７等に示すように、導光部材５０は、上下方向と直交する所定方向（幅方向）において互いに対向する一対の第１反射部５３，５４を備えている。そして、図５、図７のように、これら一対の第１反射部５３，５４において、一方の第１反射部５４の反射面は、所定方向（幅方向）において他方の反射部５３に近づくにつれて下位置となる傾斜面として構成され、他方の反射部５３の反射面は、所定方向において一方の反射部５４に近づくにつれて下位置となる傾斜面として構成されている。
【００６２】
より具体的には、図３、図５、図７のように、幅方向（上下方向と直交する所定の第１方向）において互いに対向する一対の第１反射部５３，５４と、図３、図４のように、前後方向（上下方向及び第１方向と直交する所定の第２方向）において互いに対向する一対の第２反射部５１，５２とが設けられている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００６３】
図３、図５、図７のように、一対の第１反射部５３，５４において、一方の第１反射部５４の反射面は、幅方向（第１方向）において他方の第１反射部５３に近づくにつれて下位置となる傾斜面として構成され、他方の第１反射部５３の反射面は、幅方向（第１方向）において一方の第１反射部５４に近づくにつれて下位置となる傾斜面として構成されている。更に、図３、図４のように、一対の第２反射部５１，５２において、一方の第２反射部５１の反射面は、前後方向（第２方向）において他方の第２反射部５２に近づくにつれて下位置となる傾斜面として構成され、他方の第２反射部５２の反射面は、前後方向（第２方向）において一方の第２反射部５１に近づくにつれて下位置となる傾斜面として構成されている。そして、照明光源２１は、一方の第１反射部５４、他方の第１反射部５３、一方の第２反射部５１、他方の第２反射部５２のいずれにも照明光を照射する構成となっている。なお、図３では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。第１反射部５３の反射部は、ケース３の幅方向中心位置よりも幅方向一方側に配置され且つ第２視野範囲ＡＲ２の光軸Ｌ２よりも幅方向一方側に配置されており、幅方向の端部（第１光源２１ａ，２１ｂ寄りの端部）位置が、前後方向の長さが最も大きく、幅方向において第２視野範囲ＡＲ２の光軸Ｌ２側に近づくにつれて前後方向の長さが次第に小さくなっている。第１反射部５４の反射部は、ケース３の幅方向中心位置よりも幅方向他方側に配置され且つ第２視野範囲ＡＲ２の光軸Ｌ２よりも幅方向他方側に配置されており、幅方向の端部（第２光源２１ｃ，２１ｄ寄りの端部）位置が、前後方向の長さが最も大きく、幅方向において第２視野範囲ＡＲ２の光軸Ｌ２側に近づくにつれて前後方向の長さが次第に小さくなっている。第２反射部５１の反射部は、ケース３の前後中心位置よりも前後方向一方側に配置され且つ第２視野範囲ＡＲ２の光軸Ｌ２よりも前後方向一方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。第２反射部５２の反射部は、ケース３の前後中心位置よりも前後方向他方側に配置され且つ第２視野範囲ＡＲ２の光軸Ｌ２よりも前後方向他方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。
【００６４】
具体的には、図６、図８、図１０に示すように、第１光源２１ａ，２１ｂは、幅方向においてこれら第１光源２１ａ，２１ｂとは反対側（ケース３の幅方向中心位置に対して第１光源２１ａ，２１ｂとは反対側）に設けられた一方の第１反射部５４に向けて照明光を照射する構成となっており、第２光源２１ｃ，２１ｄは、幅方向においてこれら第２光源２１ｃ，２１ｄとは反対側（ケース３の幅方向中心位置に対して第２光源２１ｃ，２１ｄとは反対側）に設けられた他方の第１反射部５３に向けて照明光を照射する構成となっている。また、第１光源２１ａ，２１ｂは、幅方向（第１方向）において一方の第１反射部５４よりも他方の第１反射部５３に近い側に配置される他方側光源に相当し、第２光源２１ｃ，２１ｄは、幅方向（第１方向）において他方の第１反射部５３よりも一方の第１反射部５４に近い側に配置される一方側光源に相当する。そして、第２光源２１ｃ，２１ｄ（一方側光源）からの照明光が、他方の第１反射部５３及び一対の第２反射部５１，５２における第１反射部５３側（読取口５の幅方向中心位置よりも第１反射部５３側）の部分に対し、少なくともケース３の上下方向中心位置よりも上側の領域（望ましくは、各反射部のほぼ全体）に照射されるようになっている。また、第１光源２１ａ，２１ｂ（他方側光源）からの照明光が、一方の第１反射部５４及び一対の第２反射部５１，５２における第１反射部５４側（読取口５の幅方向中心位置よりも第１反射部５４側）の部分に対し、少なくともケース３の上下方向中心位置よりも上側の領域（望ましくは、各反射部のほぼ全体）に照射されるようになっている。なお、図１０では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００６５】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図１０のように平面視したときに、第１反射部５３，５４及び第２反射部５１，５２が全体的に明るく光ることになる。更に、図４、図５、図７のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（透明板７の上面において読取口５から露出する領域）において、この領域γ内の視野範囲α（図１０において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図１０において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図１０において境界線Ｐ２に囲まれる領域）では、中心部Ｐ１付近の照度が周縁部付近（境界線Ｐ２付近）の照度と比較して相対的に低くなる。なお、図１０では、開口領域γにおいて視野範囲αの中心部Ｐ１付近の照度よりも照度が高くなる高照度領域βをハッチング領域として概念的に示している。開口領域γでは、このように高照度領域βが構成されるため、開口領域γにおいて透明板７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００６６】
（発光部の構成）
次に、図１１〜図１３等を参照して発光部２０ａ，２０ｂについて説明する。
読取装置１においてケース３の内部には、ケース３の外部に光を放出する機能を有する発光部２０ａ，２０ｂが設けられている。発光部２０ａと発光部２０ｂは、所定の仮想平面Ｈ（ケース３の幅方向中心位置を通り、上下方向及び前後方向と平行な平面：図１１参照）を中心として対称の形状となっており、同一の機能を有している。なお、以下では、発光部２０ａを例に挙げて詳述する。
【００６７】
図１１〜図１３に示すように、発光部２０ａは、前後方向両側に配置される２つの発光素子６０と、これら発光素子６０に隣接する導光材７１と、反射材として機能する基板８１とを備えている。
【００６８】
図１２、図１３のように、導光材７１は、２つの発光素子６０（第１発光素子６１ａ、第２発光素子６１ｂ）とそれぞれ対向して配置される２つの対向部７１ａ，７１ｂと、これら対向部７１ａ，７１ｂとは異なる位置に設けられた表面部７１ｃと、表面部７１ｃの裏側に配置された裏面部７１ｄとを備えている。この導光材７１は、例えば、アクリル樹脂などの光透過性の樹脂材料によって構成されると共に、前後方向に延びる長手状の板材として構成され、且つ長手状且つ板状の発光領域を有している。具体的には、前後方向一方側（より具体的には、ケース３の前後方向中心位置よりも前後方向一方側であり、且つ導光材７１の前後方向中心位置よりも前後方向一方側）に配置される対向部７１ａと前後方向他方側（より具体的には、ケース３の前後方向中心位置よりも前後方向他方側であり、且つ導光材７１の前後方向中心位置よりも前後方向他方側）に配置される対向部７１ｂの間の長手状領域が発光領域として機能している。
【００６９】
導光材７１（導光板）の表面部７１ｃ及び裏面部７１ｄは、いずれも平坦な板面として構成されており、表面部７１ｃ及び裏面部７１ｄのいずれの外面も、上下方向と直交する向きに配置されている。そして、これら表面部７１ｃ及び裏面部７１ｄが対向する厚さ方向（板厚方向）が上下方向となっている。そして、表面部７１ｃが当該導光材７１の上方側（即ち、導光材７１の上下方向中心位置よりも上端寄りの位置）に配置され、裏面部７１ｄが当該導光材７１の下方側（即ち、導光材７１の上下方向中心位置よりも下端寄りの位置）に配置され、表面部７１ｃの外面と、裏面部７１ｄの外面とが略平行になっており、表面部７１ｃから上方側に光を放出する構成となっている。
【００７０】
また、対向部７１ａ，７１ｂは、導光材７１の側部の一部として構成され、対向部７１ａ，７１ｂのいずれの外面も平坦に構成されると共に前後方向と直交する向きに配置されている。即ち、対向部７１ａ，７１ｂのいずれの外面も、上下方向及び幅方向（左右方向）と略平行に配置されている。そして、このように構成される導光材７１は、各対向部７１ａ，７１ｂから、少なくとも上下方向と直交する平面方向（具体的には、前後方向）に延びる構成で配置されている。
【００７１】
また、導光材７１は、上下方向と直交する平面方向において読取口５の外側の領域に配置されている。図１１の平面図では、平面方向における読取口５の位置（読取口５の開口端部の位置）を一点鎖線５’で示しており、この一点鎖線５’の枠よりも外側に、発光部２０ａを構成する導光材７１、各発光素子６０（第１発光素子６１ａ、第２発光素子６１ｂ）、基板８１などが配置されている。なお、発光部２０ｂを構成する導光材７２、各発光素子６０（第１発光素子６２ａ、第２発光素子６２ｂ）、基板８２についても、平面方向において読取口５の外側の領域に配置され、図１１に示す一点鎖線５’の枠よりも外側に配置されている。
【００７２】
このように構成される導光材７１は、図１３（Ｂ）のように、裏面部７１ｄが基板８１の一方の板面８１ａに接合されて保持されている。具体的には、導光材７１の裏面部７１ｄと基板８１の板面８１ａとの間に光透過性の接着層８４が介在し、これら導光材７１と基板８１とが接着層８４によって接合されている。この基板８１は、反射材の一例に相当し、導光材７１の裏面部７１ｄ側に面する反射面８３ａを備えている。
【００７３】
本構成では、図１３（Ａ）のように、２つの発光素子６０（第１発光素子６１ａ、第２発光素子６１ｂ）が、基板８１の一方の板面８１ａに実装されており、この基板８１において発光素子６０の実装側の板面８１ａが部分的に反射面８３ａとして構成され且つ導光材７１の裏面部７１ｄと対向して配置されている。そして、図１３（Ｂ）のように、裏面部７１ｄから導光材７１の外部（裏側）に出た光（接着層８４に入り込んだ光）が板面８１ａ（実装側の板面）の一部（反射面８３ａ）で反射し、接着層８４及び導光材７１の内部を通って表面部７１ｃ側に導かれる構成となっている。
【００７４】
図１１、図１２、図１３（Ａ）のように、２つの発光素子６０（第１発光素子６１ａ、第２発光素子６１ｂ）は、基板８１の板面８１ａに実装され、基板８１の板厚方向に対して横方向に光を照射する構成となっている。本構成では、２つの発光素子６０として、導光材７１の長手方向一方側の側面部に対向すると共に導光材７１の長手方向中心側に向けて光を照射する第１発光素子６１ａと、導光材７１の長手方向他方側の側面部に対向すると共に導光材７１の長手方向中心側に向けて光を照射する第２発光素子６１ｂとが設けられている。そして、第１発光素子６１ａは、発光側の面６１ａ’が対向部７１ａの外面と向かい合い、且つ発光側の面６１ａ’から上下方向に対して横向きに光を照射する構成となっている。また、第２発光素子６１ｂは、発光側の面６１ｂ’が対向部７１ｂの外面と向かい合い、且つ発光側の面６１ｂ’から上下方向に対して横向きに光を照射する構成となっている。具体的には、発光側の面６１ａ’と、対向部７１ａの外面とがほぼ平行に配置され、発光側の面６１ａ’の上端位置よりも対向部７１ａの外面の上端位置のほうが上位置となっている。これにより、発光側の面６１ａ’から横方向に発せられた光の大部分又は全部が対向部７１ａの外面に入射することになる。また、発光側の面６１ｂ’と、対向部７１ｂの外面とがほぼ平行に配置され、発光側の面６１ｂ’の上端位置よりも対向部７１ｂの外面の上端位置のほうが上位置となっている。これにより、発光側の面６１ｂ’から横方向に発せられた光の大部分又は全部が対向部７１ｂの外面に入射することになる。
【００７５】
このように構成される発光部２０ａでは、各発光素子６０から照射されて対向部７１ａ，７１ｂにそれぞれ入射する光が導光材７１の発光領域（対向部７１ａ，７１ｂの間の領域）の前後方向両側から内部に導入される。そして、対向部７１ａ，７１ｂから導光材７１の内部に導入された光の少なくとも一部が、導光材７１の内部を通る過程で裏面部７１ｄを通って基板８１（反射材）の反射面８３ａで反射し、少なくともこの反射面８３ａで反射した光が表面部７１ｃから放出されることになる。なお、基板８１において、導光材７１が接合される領域（被接合部８３）の表面は白色、黄色等の明色で表されており、導光材７１から入り込む光を良好に反射する構成となっている。
【００７６】
特に、本構成では、第１発光素子６１ａ及び第２発光素子６１ｂが互いに向かい合い、第１発光素子６１ａ及び第２発光素子６１ｂのいずれもが、導光材７１の表面部７１ｃと裏面部７１ｄの間の領域に向けて横向きに光を照射する構成であるため、導光材７１の各端部側からそれぞれ内部に入り込んだ光が導光材７１の内部を通って導光材７１の奥（長手方向中心側）に広がりやすく、このように広がる光の一部が反射材の各箇所で反射して外部に放出されることになる。
【００７７】
また、図１３（Ｂ）のように、本構成では、導光材７１の内部を通る光のうち、斜め上方向に向かう光については、導光材７１の屈折率が空気よりも大きいため、導光材７１の内部を通って表面部７１ｃに入射する光の入射角がある閾値を超えると表面部７１ｃで全反射し、その光の大部分又はほぼ全部が再び導光材７１の内部を通ることになる。従って、発光素子６０から導光材７１に入り込んだ光のうち、より横向きに近い光については導光材７１において、より奥側（導光材７１の長手方向中心側）に入り込むことになり、より広い照射領域が確保される（図１３の実線矢印の経路も参照）。また、導光材７１の内部を通る光のうち、斜め下方向に向かう光については、導光材７１と接着層８４との界面に入射したときに、一部がその界面で反射し、一部が接着層８４に入り込んで基板８１の反射面８３ａで反射することになる。その界面で反射する光は、図１３の実線矢印の経路のように、導光材７１においてより奥位置に入り込むことになる。一方、その界面で反射せずに接着層８４に入り込んだ光は、図１３の破線矢印のように、基板８１の反射面８３ａで拡散反射し、その拡散反射した光のうち、導光材７１と空気層の界面（即ち、表面部７１ｃの表面）での入射角が小さい光については、この空気層の界面から空気層に放射されることになる。このような現象（反射面８３ａでの拡散反射や表面部７１ｃからの光の放射）が、対向部７１ａ，７１ｂの間において様々な位置で生じるため、対向部７１ａ，７１ｂの間の発光領域では広い範囲で上方への光の放射がなされることになる。なお、接着層８４の屈折率は、導光材７１の屈折率よりも大きくてもよく、導光材７１の屈折率と同程度又は導光材７１の屈折率よりも小さくてもよい。
【００７８】
なお、以上の説明では、主に発光部２０ａの構成、作用を述べたが、発光部２０ｂは、発光部２０ａと対称の構造であり、それ以外は、発光部２０ａと同一の構成であるため、発光部２０ｂでも発光部２０ａと同様の作用が生じることになる。
【００７９】
また、本構成では、読取口５が透明部（透明板７の一部）によって閉塞されており、発光部２０ａ，２０ｂの各導光材７１、７２を覆う構成で、この透明部よりも透明性が低い光透過性の被覆層８（拡散透過層）が設けられている。そして、各導光材７１，７２の表面部７１ｃ，７２ｃから放出された光が、この被覆層８（拡散透過層）を透過しつつ拡散し、ケース３の外部に放出される構成となっている。より具体的には、上下方向においてケース３の上面部（透明板７）寄りに各導光材７１，７２が配置されており、ケース３の上面部には、導光材７１，７２を覆う構成で透明板７が配置されており、透明板７の一方の板面において導光材７１，７２を覆う位置に、被覆層８（拡散透過層）が環状に形成されており、この被覆層８（拡散透過層）の内縁部が読取口５として構成されている。
【００８０】
なお、被覆層８（拡散透過層）は、拡散透過が可能な材質である一方で、ある程度遮光性の高い層として構成されているが、この被覆層８（拡散透過層）において、各導光材７１、７２の上方の位置には、複数の孔部８ａがそれぞれ形成され、これら孔部８ａ及び透明板７を介して導光材７１、７２が視認可能とされている。各孔部８ａは、被覆層８を上下に貫通する孔であり、これら孔部８ａを介して透明板７の表面（上面）が露出している。具体的には、導光材７１の上位置において導光材７１の上記発光領域に沿って並ぶように複数の孔部８ａが設けられ、導光材７１から上方に放出された光の一部は、これら孔部８ａを通って外部に放出されるようになっている。同様に、導光材７２の上位置にも、導光材７２の発光領域に沿って並ぶように複数の孔部８ａが設けられ、導光材７２から上方に放出された光の一部は、これら孔部８ａを通って外部に放出されるようになっている。なお、図１２では、被覆層８（拡散透過層）を概略的に示しており、孔部８ａの明示は省略しているが、実際は、図１２の断面構造において、表面部７１ｃの上位置に、複数の孔部８ａが前後方向に並んで形成されている。
【００８１】
また、図１１のように、本構成では、平面方向において導光材７１，７２よりも読取口５側には、導光材７１，７２から読取口５側に漏れ出す光を遮光する漏洩抑制部１０１，１０２が形成されている。具体的には、図５〜図８、図１１のように、ケース３の内部において、基板８１、８２の載置面よりも内側（第２視野範囲ＡＲ２の中心側）且つ各導光材７１，７２よりも内側に、基板８１、８２の載置面から上方に立ち上がる構成で、環状且つリブ状の壁部１００が、平面方向における読取口５の位置（図１１の符号５’参照）を取り囲むように形成されており、この壁部１００の一部が漏洩抑制部１０１，１０２として機能し、導光材７１，７２にそれぞれ隣接して配置されている。特に、これら漏洩抑制部１０１，１０２の各上端部は、少なくとも導光材７１，７２の各発光領域全体にわたって、各導光材７１，７２の表面部７１ｃ、７２ｃよりも上位置に配置されているため、導光材７１，７２から視野範囲側への光の漏洩がより効果的に抑えられる。
【００８２】
（本構成の主な効果）
本構成では、図１１〜図１３のように、発光部２０ａにおいて、発光素子６０（第１発光素子６１ａ、第２発光素子６１ｂ）と、導光材７１と、反射材としての基板８１とが設けられ、発光素子６０から導光材７１の対向部７１ａ，７１ｂに入射する光が導光材７１の内部に導入され、その導入された光の少なくとも一部が、裏面部７１ｄを通って基板８１（反射材）の反射面で反射し、少なくとも反射面で反射した光が表面部７１ｃから放出される構成となっている。この構成では、導光材７１の内部に入り込んだ光が導光材７１の内部を通って導光材７１内部に広がりやすく、このように広がる光の一部が基板８１（反射材）の各箇所で反射して外部に放出されることになる。このため、導光材７１の表面部７１ｃのより広い範囲で光の照射がなされることになり、より明るい光を、より広い範囲で発生させることができる。また、発光素子６０の大きさや数を抑えることができるため、素子の小型化、省電力化をも計ることができる。
【００８３】
また、本構成では、図１３のように、導光材７１の裏面部７１ｄと基板８１（反射材）とが光透過性の接着層８４によって接合されている。この構成によれば、基板８１（反射材）の反射面（一方側の板面）を導光材７１の保持面として兼用することができ、導光材７１をより強固に保持し得る構造を実現しつつ、発光部２０ａをより小型化することができる。
【００８４】
また、本構成では、図１１〜図１３のように、発光部２０ａを構成する各発光素子６０（第１発光素子６１ａ、第２発光素子６１ｂ）は、基板８１の一方の板面に実装され、且つ基板８１の板厚方向に対して横方向に光を照射する構成となっている。そして、基板８１が反射材として機能し、基板８１における発光素子６０の実装側の板面が反射面として構成され、導光材７１の裏面部７１ｄと対向して配置されており、裏面部７１ｄから導光材７１の外部に出た光が実装側の板面で反射して表面部７１ｃ側に導かれる構成となっている。
この構成によれば、発光素子６０（第１発光素子６１ａ、第２発光素子６１ｂ）を実装する基板８１を反射材として兼用することができるため、発光部２０ａの部品点数を削減しやすく、且つ発光部２０ａをより一層小型化しやすくなる。
【００８５】
また、本構成では、導光材７１が長手状の板材として構成され、発光素子６０として、導光材７１の長手方向一方側の側面部に対向すると共に導光材７１の長手方向中心側に向けて光を照射する第１発光素子６１ａと、導光材７１の長手方向他方側の側面部に対向すると共に導光材７１の長手方向中心側に向けて光を照射する第２発光素子６１ｂとが設けられている。
この構成によれば、より少ない発光素子数で、より長い発光領域を生じさせることができる。また、導光材７１の両側から光を取り込む構成であるため、発光素子６０での発光量をそれほど大きくしなくても、発光素子間の広い範囲にわたって、より全体的に光が届きやすくなる。
【００８６】
なお、本構成では、発光部２０ｂも発光部２０ａと同様の構造であるため、上述した発光部２０ａに関する効果は、発光部２０ｂでも同様の効果が得られる。
【００８７】
また、本構成では、導光材７１は、上下方向と直交する平面方向において読取口５の外側の領域に配置され、表面部７１ｃが当該導光材７１の上方側に配置され、裏面部７１ｄが当該導光材７１の下方側に配置されており、表面部７１ｃから上方側に光を放出する構成となっている。同様に、導光材７２は、上下方向と直交する平面方向において読取口５の外側の領域に配置され、表面部７２ｃが当該導光材７２の上方側に配置され、裏面部７２ｄが当該導光材７２の下方側に配置されており、表面部７２ｃから上方側に光を放出する構成となっている。
このように、平面方向において読取口５の外側に導光材７１、７２が配置されているため、導光材７１、７２自体や、導光材７１、７２からの光が視野範囲に映り込みにくく、読み取りへの影響を抑えつつ広い照射領域を確保しやすくなる。また、読取口５の周囲の広い範囲に発光部２０ａ，２０ｂが配置されるため、読取口５近傍に情報コードＣや操作者の手などが配置されても、導光材７１、７２から照射される光が全て隠れるような事態が生じにくく、操作中の視認性をも高めることができる。
【００８８】
また、本構成では、平面方向において導光材７１、７２よりも読取口５側には、導光材７１，７２から読取口５側に漏れ出す光を遮光する漏洩抑制部１０１、１０２が形成されている。この構成によれば、導光材７１、７２から読取口５側に光が漏れ出すことを抑え、導光材７１、７２からの光が撮像部２３の視野範囲に入り込むことをより抑制することができるため、導光材７１、７２からの光に起因する読取不良をより確実に低減することができる。
【００８９】
また、本構成では、読取口５が透明板７（透明部）によって閉塞されており、導光材７１、７２を覆う構成で、透明板７（透明部）よりも透明性が低い光透過性の被覆層８（拡散透過層）が設けられており、導光材７１、７２の各表面部７１ｃ，７２ｃから放出された光が、被覆層８（拡散透過層）を透過しつつ拡散し、ケース３の外部に放出される構成となっている。
この構成によれば、導光材７１、７２から放出された光を被覆層８（拡散透過層）で拡散させて放出することができるため、光の偏りを緩和し、意匠性を高めることができる。
【００９０】
また、本構成では、導光材７１、７２は、上下方向においてケース３の上面部寄りに配置されており、ケース３の上面部には、導光材７１、７２を覆う構成で透明板７が配置されており、透明板７の一方の板面において導光材７１、７２を覆う位置に、被覆層８（拡散透過層）が環状に形成されており、被覆層８（拡散透過層）の内縁部が読取口５として構成されている。
この構成では、読取口５を形成するための層を拡散透過層として兼用することができるため、装置構成の簡素化を図りつつ、意匠性を高めることができる。
【００９１】
なお、被覆層８（拡散透過層）は、ある程度遮光性の高い層として構成されているが、この被覆層８（拡散透過層）において、導光材７１、７２の上方の位置に、複数の孔部８ａが形成され、これら孔部８ａ及び透明板７を介して導光材７１、７２が視認可能とされているため、導光材７１、７２の各表面部から発せられた光の一部は、被覆層８（拡散透過層）を通らずに孔部８ａを通って外部に放出され易くなる。つまり、被覆層８（拡散透過層）で拡散する光と、孔部８ａを通る光とが相乗的に作用し、より広い範囲でより明るい光を放出することができる。
【００９２】
また、本構成では、各導光材７１、７２の各対向部は、外面が平坦に構成され且つ外面が上下方向と略平行に配置されており、導光材７１、７２はいずれも、各対向部から上下方向と直交する平面方向に延びており、発光部２０ａ，２０ｂの各発光素子６０は、発光側の面が対向部の外面と向かい合い、且つ発光側の面から上下方向に対して横向きに光を照射する構成となっている。
この構成によれば、各対向部に対して垂直に近い向きで入射する光がより多くなり、各導光材７１，７２が延びる方向に向かう光が多くなるため、導光材７１，７２の各内部においてより奥位置まで光が届きやすくなる。従って、各発光素子６０近傍に光が偏りすぎることを緩和し、より均一化することができる。
【００９３】
また、本構成では、ケース３の内部に収容され、ケース３の外部から読取口５を介して入り込む光を反射させる反射部材２９と、ケース３の外部から読取口５を通過して入り込み且つ反射部材２９で反射した光を撮像部２３に導くように構成された結像部２７とが設けられ、結像部２７は、撮像部２３で撮像可能な視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定める構成となっている。
このように、ケース３内に反射部材２９を介在させ、結像部２７からケース３の外部まで続く視野範囲の経路（即ち、読取口５から入り込んだ光を結像部２７に導く経路）をケース３内において折れ曲がるように構成することで、ケース３の厚さをそれほど大きくしなくても、光学系から読取口５での距離（読取口５から入り込んだ光が結像部２７に入り込むまでの光路長）を大きく確保しやすくなる。これにより、ケース３の厚さを低減して小サイズ化を図ることができる。
【００９４】
[第２実施形態]
次に、本発明の第２実施形態に係る光学的情報読取装置について、図１４を用いて説明する。
本第２実施形態では、被覆層８に代えて一部遮光層９が採用される点が主に上記第１実施形態と異なる。このため、第１実施形態と実質的に同様の構成部分には同一符号を付して説明を省略する。
【００９５】
本実施形態では、図１４に示すように、拡散透過層として機能する被覆層８に代えて設けられる一部遮光層９が、各導光材７１、７２の表面部側を覆うように環状に形成されている。この一部遮光層９は、表面部７１ｃ，７２ｃから放出された光を透光させるための透光領域９ａと、表面部７１ｃ，７２ｃから放出された光を遮光するための遮光領域９ｂとを有するように形成されている。
【００９６】
透光領域９ａは、表面部７１ｃ，７２ｃから広範囲に放出された光を利用して任意の図形を表示するための領域であって、任意の図形をくり抜くようにして形成されている。ここで、任意の図形とは、例えば、文字（図１４の例では、文字「ＡＢＣ」）やロゴマーク、記号、製品名、会社名、操作方法に関する情報等が想定される。
【００９７】
一方、遮光領域９ｂは、透光領域９ａと異なり、被覆層８よりも遮光性が高められた樹脂等の遮光性部材により形成されている。すなわち、遮光性部材から任意の図形に応じた形状をくり抜くように形成された領域が透光領域９ａとなり、残りの領域が遮光領域９ｂとなる。
【００９８】
このように一部遮光層９が形成されることで、各導光材７１、７２の表面部７１ｃ，７２ｃから放出された光は、一部遮光層９のうち透光領域９ａを透光するようにして外部に照射される。透光領域９ａは、任意の図形に応じて形成されているので、各導光材７１、７２からより広い範囲で発生させた光を利用して文字やロゴマーク等の任意の図形を表示することができ、文字やロゴマーク等を含めた据置型情報コード読取装置１の意匠性を高めることができる。
【００９９】
なお、一部遮光層９の遮光領域は、樹脂等の遮光性部材を用いて形成されることに限らず、暗色系のインクを用いて印刷形成されてもよい。具体的には、例えば、図１５に示す遮光領域９ｃ（図１５のハッチング領域参照）のように、透明板７に対して透光領域９ａに相当する位置を除くように黒色のインクを印刷（塗布）することで、遮光領域９ｃを形成することができる。
【０１００】
これにより、遮光領域９ｃの遮光性が向上するだけでなく相対的に透光領域９ａを透光した光が際立つため、透光領域９ａを透光する光により表示される文字やロゴマーク等の任意の図形に関して意匠性をさらに高めることができる。
【０１０１】
[第３実施形態]
次に、本発明の第３実施形態に係る光学的情報読取装置について、図１６を用いて説明する。
本第３実施形態では、発光部２０ａおよび発光部２０ｂに代えて発光部２０ｃおよび発光部２０ｄを採用する点が主に上記第１実施形態と異なる。このため、第１実施形態と実質的に同様の構成部分には同一符号を付して説明を省略する。
【０１０２】
本実施形態における発光部２０ｃおよび発光部２０ｄは、上述した発光部２０ａおよび発光部２０ｂと同様の構成部材を備えてなり、上記導光材７１，７２と同様に、反射材の反射面が裏面部側に面する導光材７３，７４を有している。発光部２０ｃおよび発光部２０ｄは、図１６に示すように、導光材７３，７４の長手方向が上記幅方向に沿うように配置されている。そして、被覆層８において、各導光材７３、７４の上方の位置には、複数の孔部８ａが発光領域に沿って並ぶようにそれぞれ形成され、これら孔部８ａ及び透明板７を介して導光材７３、７４が視認可能とされている。
【０１０３】
このようにしても、導光材７３、７４の各表面部から発せられた光の一部は、被覆層８（拡散透過層）を通らずに孔部８ａを通って外部に放出され易くなり、被覆層８（拡散透過層）で拡散する光と、孔部８ａを通る光とが相乗的に作用することで、より広い範囲でより明るい光を放出することができる。
【０１０４】
本第３実施形態の変形例として、図１７に示すように、上述した発光部２０ｃおよび発光部２０ｄに加えて、上記第１実施形態にて述べた発光部２０ａおよび発光部２０ｂをさらに設けてもよい。これにより、略四角環状に形成される被覆層８の四辺部全てにて発光可能となるので、明るい光を放出する範囲をさらに広げることができる。
【０１０５】
なお、本実施形態およびその変形例における特徴的構成は、他の実施形態にも適用することができる。
【０１０６】
[第４実施形態]
次に、本発明の第４実施形態に係る光学的情報読取装置について、図１８を用いて説明する。
本第４実施形態では、光透過性の接着層８４に代えて明色系の両面接合部材を採用する点が主に上記第１実施形態と異なる。このため、第１実施形態と実質的に同様の構成部分には同一符号を付して説明を省略する。
【０１０７】
本第４実施形態では、図１８に示すように、導光材７１の裏面部７１ｄと基板８１の板面８１ａとの間に、明色系の両面接合部材として、例えば白色の両面テープ８５が介在しており、この両面テープ８５によって導光材７１と基板８１とが接合（粘着）されている。また、導光材７２も同様に、両面テープ８５によって基板８２と接合（粘着）されている。
【０１０８】
これにより、導光材７１の内部に導入された光の少なくとも一部が、裏面部７１ｄを通って明色系の両面テープ８５で散乱しやすくなる。同様に、導光材７２の内部に導入された光の少なくとも一部が、裏面部７２ｄを通って明色系の両面テープ８５で散乱しやすくなる。このため、表面部７１ｃ，７２ｃから放出される光を、均一且つ明瞭な光として照射することができる。
【０１０９】
なお、明色系の両面接合部材として、白色の両面テープ８５が採用されることに限らず、光の散乱を促す明るい色の両面テープが採用されてもよいし、明色系の薄い素材を使って接着剤で貼り付ける構成等の両面接合部材が採用されてもよい。
【０１１０】
なお、本実施形態における特徴的構成は、他の実施形態にも適用することができる。
【０１１１】
[第５実施形態]
次に、本発明の第５実施形態に係る光学的情報読取装置について、図１９を用いて説明する。
本第５実施形態では、反射材として、基板８１，８２に代えて、光の透過を抑制するように各導体層が配置された両面基板が採用される点が主に上記第１実施形態と異なる。このため、第１実施形態と実質的に同様の構成部分には同一符号を付して説明を省略する。
【０１１２】
本実施形態では、図１９に示すように、上述した基板８１に代えて両面基板８６が採用されている。この両面基板８６は、上面８６ａの一部にて光透過性の接着層８４により導光材７１の裏面部７１ｄに接合されており、上面８６ａが部分的に反射面８３ａとして構成されている。両面基板８６は、絶縁層８７に対して、上面８６ａに所定の配線パターンに応じた複数の銅箔パターン（以下、上側銅箔パターン８８ａともいう）が設けられ、下面８６ｂに所定の配線パターンに応じた複数の銅箔パターン（以下、下側銅箔パターン８８ｂともいう）が設けられるように構成されている。上側銅箔パターン８８ａおよび下側銅箔パターン８８ｂは、光の透過を抑制可能な厚さに形成されている。また、上面８６ａおよび下面８６ｂには、被覆膜としてレジスト層８９が設けられており、このレジスト層８９は、上側銅箔パターン８８ａや下側銅箔パターン８８ｂの少なくとも一部を露出させるように形成されている。
【０１１３】
また、両面基板８６の上面８６ａには、上側銅箔パターン８８ａに電気的に接続される発光素子６１ａ，６１ｂが実装され、両面基板８６の下面８６ｂには、下側銅箔パターン８８ｂに電気的に接続される第１光源２１ａ、２１ｂが実装されている。なお、図１９では、発光素子６１ａおよび発光素子６１ｂのうち発光素子６１ｂのみが図示され、第１光源２１ａおよび第１光源２１ｂのうち第１光源２１ａのみが図示されている。また、上面８６ａおよび下面８６ｂは、「一面」および「他面」の一例に相当し、上側銅箔パターン８８ａおよび下側銅箔パターン８８ｂは、「複数の導体層」の一例に相当し得る。
【０１１４】
特に、本実施形態では、上側銅箔パターン８８ａおよび下側銅箔パターン８８ｂは、光の透過を抑制する透過抑制部として機能させるため、両面基板８６に対する外部からの光が当該両面基板８６の透過を妨げる位置を考慮して配置されている。具体的には、図１９からわかるように、下側銅箔パターン８８ｂは、少なくとも一部のパターンにて、上側銅箔パターン８８ａが配置されていない上面８６ａ側から絶縁層８７内を透過した光を受けて下面８６ｂへ漏光させないように配置されている。そして、上側銅箔パターン８８ａは、少なくとも一部のパターンにて、下側銅箔パターン８８ｂが配置されていない下面８６ｂ側から絶縁層８７内を透過した光を受けて上面８６ａへ漏光させないように配置されている。
【０１１５】
これにより、導光材７１の内部から裏面部７１ｄを通る光や発光素子６１ａ，６１ｂから直接照射される光を含めた両面基板８６に対する外部からの光（上面側からの光）が上面８６ａ側から下面８６ｂ側に透過することを、上側銅箔パターン８８ａおよび下側銅箔パターン８８ｂにより抑制することができる。すなわち、両面基板８６の下面８６ｂ側への意図しない漏光を抑制することができる。さらに、両面基板８６の下面８６ｂに実装される第１光源２１ａ、２１ｂからの光を含めた両面基板８６に対する外部からの光（下面側からの光）が下面８６ｂ側から上面８６ａ側に透過することを、上側銅箔パターン８８ａおよび下側銅箔パターン８８ｂにより抑制することができる。すなわち、両面基板８６の上面８６ａ側への意図しない漏光を抑制することができる。
【０１１６】
特に、反射材として機能する両面基板８６の各銅箔パターン８８ａ，８８ｂが、透過抑制部として機能するように配置されている構成となっている。この構成によれば、各銅箔パターン８８ａ，８８ｂを両面基板８６の透過を妨げるようにそれぞれ配置することで意図しない漏光が抑制されるので、両面基板８６に対して透過抑制部として機能する部材を別途用意する必要もない。このため、透過抑制部を有する反射材として機能する両面基板８６を簡素な構成とすることができる。
【０１１７】
本第５実施形態の第１変形例として、両面基板８６に代えて内層にも導体層が設けられる多層基板を反射材として採用してもよい。例えば、図２０に例示する多層基板８６ｃは、両面基板８６に対して内層側に銅箔パターン８８ｃが設けられている。この銅箔パターン８８ｄは、断裂の無いベタ層として形成されている。
【０１１８】
このようにしても、多層基板８６ｃの下面８６ｂ側への意図しない漏光や多層基板８６ｃの上面８６ａ側への意図しない漏光を抑制することができる。特に、上側銅箔パターン８８ａおよび下側銅箔パターン８８ｂに加えて銅箔パターン８８ｃを透過抑制部として機能させるため、上側銅箔パターン８８ａおよび下側銅箔パターン８８ｂのみで透過抑制部を構成する場合と比較して、各銅箔パターン８８ａ〜８８ｃの配置に関する制約を緩和することができる。さらに、銅箔パターン８８ｃが断裂の無いベタ層として形成されているので、意図しない漏光に対する抑制効果を向上させることができる。
【０１１９】
なお、内層側に設けられる銅箔パターン８８ｃは、ベタ層として配置されることに限らず、少なくとも一部が、上側銅箔パターン８８ａが配置されていない上面８６ａ側から絶縁層８７内を透過した光を受けて下面８６ｂへ漏光しないように配置され、下側銅箔パターン８８ｂが配置されていない下面８６ｂ側から絶縁層８７内を透過した光を受けて上面８６ａへ漏光しないように配置されることでも、上記効果を奏する。また、内層側に設けられる銅箔パターン８８ｃは、１層に限らず、２層以上により構成されてもよい。
【０１２０】
また、本第５実施形態の第２変形例として、上面８６ａおよび下面８６ｂの少なくとも一方に設けられるレジスト層８９は、光の透過を抑制する材料、例えば、黒色の被覆膜を構成するための材料から形成されてもよい。これにより、黒い色のレジスト層８９は、上側銅箔パターン８８ａおよび下側銅箔パターン８８ｂとともに透過抑制部として機能する。
【０１２１】
このように、各銅箔パターン８８ａ，８８ｂだけでなくレジスト層８９をも利用して透過抑制部が構成されるため、回路設計上、銅箔パターン（導体層）が配置できない場所であってもレジスト層８９を配置できれば透過抑制部を構成できるので、より広範囲に透過抑制部を配置でき、意図しない漏光を確実に抑制することができる。また、多層基板８６ｃのレジスト層８９を光の透過を抑制する材料から形成することで、さらに広範囲に透過抑制部を配置でき、意図しない漏光をより確実に抑制することができる。
【０１２２】
なお、基板８２に代えて上述した両面基板８６または多層基板８６ｃを採用する場合でも、上記効果を奏する。また、本実施形態およびその変形例における特徴的構成は、他の実施形態にも適用することができる。
【０１２３】
[第６実施形態]
次に、本発明の第６実施形態に係る光学的情報読取装置について、図２１を用いて説明する。
本第６実施形態では、基板８１，８２の板面に透過抑制膜が形成される点が主に上記第１実施形態と異なる。このため、第１実施形態と実質的に同様の構成部分には同一符号を付して説明を省略する。
【０１２４】
本実施形態では、発光素子６０が実装される基板８１，８２の一方の板面に光の透過を抑制する材料を用いて膜状に設けられる透過抑制膜が設けられている。具体的には、基板８１では、図２１に示すように、一方の板面８１ａのうち光の透過を抑制すべき所定の範囲に黒色のシルク印刷が施されることで反射面側透過抑制膜１１１が形成されている。ここで、上記所定の範囲は、導光材７１の内部から裏面部７１ｄを通る光や発光素子６１ａ，６１ｂから直接照射される光を含めた基板８１に対する外部からの光（上側からの光）を受ける範囲と、他方の面８１ｂに実装される第１光源２１ａ、２１ｂからの光を含めた基板８１に対する外部からの光（下側からの光）が他方の面８１ｂ側から基板８１の内部を透過した際に受ける範囲との双方を含めた範囲に設定されている。
【０１２５】
これにより、導光材７１の内部から裏面部７１ｄを通る光や発光素子６１ａ，６１ｂから直接照射される光を含めた基板８１に対する外部からの光（上側からの光）が上面８６ａ側から基板８１内に透過することを、反射面側透過抑制膜１１１により抑制することができる。すなわち、基板８１の他方の面８１ｂ側への意図しない漏光を抑制することができる。さらに、基板８１の他方の面８１ｂに実装される第１光源２１ａ、２１ｂからの光を含めた基板８１に対する外部からの光（下側からの光）が他方の面８１ｂ側から一方の板面８１ａ側に透過することを、反射面側透過抑制膜１１１により抑制することができる。すなわち、基板８１の一方の板面８１ａ側への意図しない漏光を抑制することができる。
【０１２６】
特に、反射面側透過抑制膜１１１は、膜状の透過抑制部として形成されているので、発光素子６１ａ，６１ｂの近傍（発光素子の直下の範囲を含む）であっても容易に設けることができるので、より広範囲に透過抑制部を配置することができる。
【０１２７】
なお、基板８２における一方の板面８２ａのうち光の透過を抑制すべき所定の範囲に黒色のシルク印刷が施されることで反射面側透過抑制膜１１１が形成されても、上記効果を奏する。
【０１２８】
本第６実施形態の第１変形例として、透過抑制膜は、基板８１，８２の裏側の面に光の透過を抑制する材料を用いて膜状に設けられてもよい。具体的には、例えば、図２２に示すように、基板８１における他方の面（裏側の面）８１ｂのうち光の透過を抑制すべき所定の範囲に黒色のシルク印刷が施されることで裏面側透過抑制膜１１２を形成してもよい。このように構成にしても、基板８１，８２のうち他方の面（裏側の面）に設けられる裏面側透過抑制膜１１２により意図しない漏光を抑制することができる。
【０１２９】
本第６実施形態の第２変形例として、裏面側透過抑制膜１１２に加えて反射面側透過抑制膜１１１が基板８１，８２に対してそれぞれ透過抑制部として配置されてもよい。これにより、基板８１では、仮に、一方の板面８１ａ側からの光の一部が反射面側透過抑制膜１１１を透過しても裏面側透過抑制膜１１２により他方の面８１ｂ側への透過が抑制され、他方の面８１ｂ側からの光の一部が裏面側透過抑制膜１１２を透過しても反射面側透過抑制膜１１１により一方の板面８１ａ側への透過が抑制される。このように、基板８１，８２に対して反射面側透過抑制膜１１１および裏面側透過抑制膜１１２の双方を形成することで、基板８１，８２における意図しない漏光を確実に抑制することができる。
【０１３０】
なお、反射面側透過抑制膜１１１および裏面側透過抑制膜１１２は、黒色のシルク印刷が施されることで形成されることに限らず、暗色系のシルク印刷が施されることで形成されてもよいし、他の暗色系の塗料など光の透過を抑制する材料を用いて膜状に設けられる透過抑制膜として形成されてもよい。また、本実施形態およびその変形例における特徴的構成は、他の実施形態にも適用することができる。
【０１３１】
［他の実施形態]
本発明は上記記述及び図面によって説明した各実施形態に限定されるものではなく、例えば次のような実施形態も本発明の技術的範囲に含まれる。
【０１３２】
上記実施形態では、第１視野範囲ＡＲ１の中心となる光軸Ｌ１が水平方向となり、第２視野範囲ＡＲ２の中心となる光軸Ｌ２が上下方向となる例を示したが、このような例に限られない。例えば、光軸Ｌ１が水平方向に対して傾いていてもよく、光軸Ｌ２が上下方向に対して傾いていてもよい。
【０１３３】
据置構造として、載置面に載置する例を示したが、読取作業を行う者が手に持たずに設置場所に設置して使用可能であればよく、例えば、机などに埋め込んで固定するような据置構成であってもよく、壁などに固定するような据置構造であってもよい。
【０１３４】
上記実施形態では、導光材と反射材とが接着層によって接合される構成を例示したが、導光材の下方に反射材が配置され、それぞれが確実に保持される構成であれば、導光材と反射材とが接合されていなくてもよい。
【０１３５】
上記第５，６実施形態では、各銅箔パターン８８ａ〜８８ｃやレジスト層８９、透過抑制膜１１１，１１２により光の透過を抑制する透過抑制部を構成しているが、これに限らず、反射材の一部を光の透過を抑制する透過抑制部として構成してもよいし、反射材に対して透過を抑制する透過抑制部を別途追加するように構成してもよい。
【符号の説明】
【０１３６】
１…据置型情報コード読取装置
３…ケース
５…読取口
７…透明板
８…被覆層（拡散透過層）
９…一部遮光層
９ａ…透光領域
９ｂ，９ｃ…遮光領域
２３…撮像部
２７…結像部
２９…反射部材
４０…制御回路（解読部）
２０ａ，２０ｂ，２０ｃ，２０ｄ…発光部
６０…発光素子
６１ａ，６２ａ…第１発光素子
６１ｂ，６２ｂ…第２発光素子
７１，７２，７３，７４…導光材
７１ａ，７１ｂ，７２ａ，７２ｂ…対向部
７１ｃ，７２ｃ…表面部
７１ｄ，７２ｄ…裏面部
８１，８２…基板（反射材）
８４…接着層
８５…両面テープ（両面接合部材）
８６…両面基板（反射材）
８６ｃ…多層基板（反射材）
１０１，１０２…漏洩抑制部
１１１…反射面側透過抑制膜
１１２…裏面側透過抑制膜
ＡＲ１…第１視野範囲（視野範囲）
ＡＲ２…第２視野範囲（視野範囲）
γ…開口領域
Ｃ…情報コード
【図１】
2015179504.tif 000003
【図２】
2015179504.tif 000004
【図３】
2015179504.tif 000005
【図４】
2015179504.tif 000006
【図５】
2015179504.tif 000007
【図６】
2015179504.tif 000008
【図７】
2015179504.tif 000009
【図８】
2015179504.tif 000010
【図９】
2015179504.tif 000011
【図１０】
2015179504.tif 000012
【図１１】
2015179504.tif 000013
【図１２】
2015179504.tif 000014
【図１３】
2015179504.tif 000015
【図１４】
2015179504.tif 000016
【図１５】
2015179504.tif 000017
【図１６】
2015179504.tif 000018
【図１７】
2015179504.tif 000019
【図１８】
2015179504.tif 000020
【図１９】
2015179504.tif 000021
【図２０】
2015179504.tif 000022
【図２１】
2015179504.tif 000023
【図２２】
2015179504.tif 000024